(57)【要約】　　　（修正有）【課題】　長時間快適に腰掛けていられる坐り心地の良い軽量にして重厚感に富んだソファを安価に提供する。【解決手段】　本体フレーム１が比較的硬質の発泡樹脂によって一体成形されて成り、かつ、この本体フレーム１の座床面11には所定深さの凹刳部12が形成されている一方、この凹刳部12の周縁に載置可能な外枠21と当該外枠の内域に張設したテンション面状材22とから成る座床枠２を、本体フレーム１の凹刳部12に嵌着載置したことにより、坐り心地の良いソファを実現した。【選択図】　図２
0003099901.tif 000002
【実用新案登録請求の範囲】
【請求項１】
　本体フレーム１が比較的硬質の発泡樹脂によって一体成形されて成り、かつ、この本体フレーム１の座床面11には所定深さの凹刳部12が形成されている一方、この凹刳部12の周縁に載置可能な外枠21と当該外枠の内域に張設したテンション面状材22とから成る座床枠２を、本体フレーム１の凹刳部12に嵌着載置したことを特徴とする坐り心地の良いソファー。
【請求項２】
　本体フレーム１を構成する発泡樹脂が、発泡ポリスチレンであることを特徴とする請求項１記載の坐り心地の良いソファー。
【請求項３】
　本体フレーム１を構成する発泡樹脂が、発泡ポリエチレン、発泡ポリプロビレンなどのごとき発泡ポリオレフィン系樹脂であることを特徴とする請求項１記載の坐り心地の良いソファー。
【請求項４】
　座床枠２のテンション面状材21として、ベルト状帯地22ａ・22ａ・…を経緯に平織りして成り、かつ、当該経帯地同士および緯帯地同士の間には通気空隙ｅ・ｅ・…が形成された弾性織物地を採用したことを特徴とする請求項１〜３の何れか一つに記載の坐り心地の良いソファー。
【考案の詳細な説明】
【技術分野】
【０００１】
　本考案は、発泡樹脂製の本体フレームとテンション面枠とを組合わせたソファに関し、発泡樹脂の有する適度のゴム弾性とテンション面枠の有するバネ弾性とを巧みに利用することによって構成した頗る坐り心地の良いソファに関するものである。
【背景技術】
【０００２】
　従来において、座部と背凭部に発泡樹脂製弾性体（弾性マット）を組み込んだクッション性を確保した座椅子の公知例が知られている。
【０００３】
【特許文献１】実開平４−１２０６４１号公報。
【考案の開示】
【考案が解決しようとする課題】
【０００４】
　しかしながら、この従来技術においては、発泡樹脂弾性体の介在により、クッション性は確保されているが、座部がこの弾性体を介して床に接触しており、このため、発泡樹脂特有の”じわり”としたゴム弾性と感触により、長時間座っていると、臀部や腰部が蒸れたような不快感が伴い、坐り心地の良さの一要素である通気性の点で難点があった。
【０００５】
　同じく、弾性体を介してとは言え、直接床に荷重が加わる為、長時間座っていると、皮膚呼吸が妨げられて、臀部や腰部が痺れ、汗ばんだりすることがあって、ソファ本来の坐り心地の良さを充分に実現し得ていなかった。
【０００６】
　また、経年劣化に伴う、内部弾性体の交換に際し、縫着された部位を解いて交換後、縫着し直すには、かなりの手間と労力を要した。
【０００７】
　更に、上記の従来技術の他に、衆知のソファにおいては、内部に組み込むコイルスプリング・Ｓバネ等のクッション材の材質上、本体フレームの材料選択には制限があって、これに伴い、ソファの重量も嵩張る傾向にあった。
【０００８】
　これに関して、従来衆知のソファのクッション材は、重量があるばかりでなく、材料単価、延いては商品価格が高くなり、材料の軽量化と共に、価格の低減が求められていた。
【０００９】
　本考案は、従来において、上記の如き不都合な点があったことに鑑みて、為されたものであって、通気性が良く、不快感を伴わずに長時間腰掛けることのできる坐り心地の良いソファを提供することを目的とする。
【００１０】
　また、本考案の他の目的は、長時間座っていても、臀部や腰部が痺れたり、疲れたりすることのない坐り心地の良いソファ提供することにある。
【００１１】
　更に、本考案の他の目的は、使用経過に伴うクッション材の衝撃吸収力劣化あるいは磨損に際し、交換作業を効率的に行うことのできる坐り心地の良いソファを提供することにある。
【００１２】
　更に、本考案の他の目的は、軽量な本体フレームに、軽量かつ伸縮性を備えたクッション材を組み込むことにより、軽量にして重厚感に富んだ丈夫で坐り心地の良いソファを提供することにある。
【課題を解決するための手段】
【００１３】
　本考案は、前述の目的を達成する基本的解決手段として、本体フレーム１が比較的硬質の発泡樹脂によって一体成形されてなり、かつ、この本体フレーム１の座床面１１には所定深さの凹刳部１２が形成されている一方、この凹刳部１２の周縁に載置可能な外枠２１と当該外枠の内域にテンション面状材２２とから成る座床枠２を、本体フレーム１の凹刳部１２に嵌着載置したことにより、臀部が直接、座床に接触しない構造とした長時間快適に腰掛けることのできる坐り心地の良いソファを実現した。
【００１４】
　また、外枠２１は凹刳部１２に着脱自在に嵌め込まれており、テンション面状材の修繕・交換に便利な坐り心地の良いソファを実現した。
【００１５】
　次に、具体的解決手段として、上記の如き構成において、本体フレーム１を構成する発泡樹脂が、発泡ポリスチレン、発泡ポリエチレン・発泡ポリプロピレン等の発泡ポリオレフィン系樹脂としたことによって、軽量構造の割に比較的硬質で安価な坐り心地の良いソファを実現した。
【００１６】
　更に、具体的解決手段として、上記の如き構成において、座床枠２のテンション面状材２２として、ベルト状帯地２２ａ・２２ａ・・・を経緯に平織してなり、かつ、当該経帯地同士及び緯帯同士の間には通気空隙ｅ・ｅ・・・が形成された弾性織物地を採用したことにより、クッション性に富み、通気性に優れた坐り心地の良いソファを実現した。
【考案の効果】
【００１７】
　本考案に基づく坐り心地の良いソファは、臀部が直接、座床に接触しない通気性の良好なクッション構造となっており、長時間快適に腰掛けていることができる。
【００１８】
　また、本考案に基づく坐り心地の良いソファの本体は、軽量にて重厚感に富んだ構造の割に比較的硬質で低廉な材質で構成されており、丈夫で使い勝手の良いソファを安価に提供できる。
【００１９】
　更に、本考案に基づくソファの座床枠のテンション面状材としては、軽量かつ廉価な弾性織物地を使用しており、本体の軽量構造及び低廉性と相まって、取り扱いに便利なソファを安価に提供できる。
【００２０】
　同様に、クッション材の修繕・交換に便利で、かつ、当該作業に伴う費用を低減することのできるソファを提供できる。
【考案を実施するための最良の形態】
【００２１】
　以下、本考案の実施の形態を、図示例を挙げて更に詳細に説明する。
【実施例１】
【００２２】
　図１は、本実施例に基づくソファの内部構造を示す透視斜視図である。図中、符号Ｓにて指示されるものは、本実施例に基づくソファである。また、符号Ｃにて破線で示されるものは、ソファカバーである。
【００２３】
　図中、符号１にて指示されるものは発泡ポリスチレン性の本体フレームである。また、符号２にて指示されるものは、座床枠であって、木製の外枠２１と当該外枠の内域に張設したテンション面状材２２とから構成される。
【００２４】
　前記テンション面状材２２は、図示される通り、ベルト状帯地２２ａ・２２ａ・・・を経緯に平織りして構成されており、本実施例においては、ナイロンテープ織物製の弾性織物地を使用している。
【００２５】
　図中、符号ｅ・ｅ・・・にて指示されるものは、経帯同士及び緯帯地同士の間に形成された通気空隙である。これにより、通気性を確保している。
【００２６】
　次に、図２において、符号１１及び１２にて指示されるものは其々、前記本体フレームの座床面と凹刳部であって、また、符号２１ａ及び２１ｂにて指示されるものは其々、前記外枠の外縁部と嵌着部である。
【００２７】
　図示される通り、クッション材としてのテンション面状材２２を取り付ける為には、その嵌着部２１ｂを前記本体フレームの凹刳部に嵌め込んで、前記座床枠２の外縁部２１ａを前記座床面１１に載置すれば良い。前記座床枠は、その嵌着部の四隅が凹刳部の角部で支持されている為、使用中、ぐらついたり、あるいは、ズレたりすることはない。
【実施例２】
【００２８】
　図３は、本実施例に基づくソファの内部構造を示す分解斜視図である。本実施例と前述した実施例１との差異は、本体フレーム１の座床面１１に前記外縁部を収容するに足る高さの段差面１１ａを設けて、前記座床枠２の外縁部２１ａを嵌着部と共に、本体に嵌め込む点にある。これにより、座床面と面一となって、外力によりズレたりすることはなく、実施例１に基づくソファに比べて、より安定したクッション材を提供できる。　　　　　　
【００２９】
　本考案に基づく坐り心地の良いソファは、上述した実施例に限定されるわけではなく、種々の変更が可能であって、例えば、図４に示される如く、木製の外枠を備えた座床枠に代えて、アルミパイプ製の枠を使用することによって、より現代的な洗練された軽量構造とすることもできる。
【００３０】
　同じく、図４に示される通り、凹刳部の内部から本体の各側面に貫通した通気口Ｖを設けることによって、更に通気性を向上させることができる。
【産業上の利用可能性】
【００３１】
　上述した通り、本考案に基づくソファは、廉価な発泡樹脂から成る本体フレームと低廉な弾性織物地から成る通気性構造のテンション材とを組合せて構成され、また、従来のソファに比べて、構造上簡素かつ軽量で取り扱いに便利な坐り心地の良いソファを安価に提供でき、産業上の利用可能性は高いと言える。
【図面の簡単な説明】
【００３２】
【図１】図１は、実施例１に基づくソファの内部構造を示す透過斜視図である。
【図２】図２は、実施例１に基づくソファの組立状態を示す分解斜視図である。
【図３】図３は、実施例２に基づくソファの組立状態を示す分解斜視図である。
【図４】図４は、本考案に基づく変形例を示す斜視図である。
【符号の説明】
【００３３】
　Ｃ　　　ソファカバー
　ｅ　　　通気空隙
　Ｓ　　　ソファ
　Ｖ　　　通気口
　１　　　本体フレーム　　　　　　　　　　　　　　　　　　　　　　　　　　　　　　１１　　座床面
　１１ａ　段差面
　１２　　凹刳部
　２　　　座床枠
　２１　　外枠
　２１ａ　外縁部
　２１ｂ　嵌着部
　２２　　テンション面状材
　２２ａ　ベルト状帯地
　
【図１】
0003099901.tif 000003
【図２】
0003099901.tif 000004
【図３】
0003099901.tif 000005
【図４】
0003099901.tif 000006